【手続補正書】
【提出日】平成29年5月15日(2017.5.15)
【手続補正１】
【補正対象書類名】特許請求の範囲
【補正対象項目名】全文
【補正方法】変更
【補正の内容】
【特許請求の範囲】
【請求項１】
音声認識方法であって、
処理区間に含まれる第１無音区間の長さを決定するための基準値を決定する基準値決定ステップと、
互いに処理量が異なる複数の音声処理の処理モードから、前記基準値に応じて、使用する処理モードを決定する処理モード決定ステップと、
前記処理区間を含む入力区間の音声情報から、前記基準値を用いて、対象区間と、前記対象区間の後の前記第１無音区間とを含む前記処理区間の音声情報を取得する終話判定ステップと、
前記処理区間の音声情報のうち前記対象区間の音声情報に対して、決定された前記処理モードで音声処理を実行する音声処理ステップと、
前記音声処理が実行された前記対象区間の音声情報に対して音声認識処理を実行する音声認識ステップとを含み、
前記基準値決定ステップでは、前記基準値として、前記処理区間の終端を判定するための情報であり、前記第１無音区間の長さを示す閾値を決定し、
前記処理モード決定ステップでは、前記閾値に基づいて前記処理モードを決定し、
前記音声認識方法は、さらに、
前記入力区間の音声情報から無音区間を検出する検出ステップを含み、
前記終話判定ステップでは、無音区間の長さが前記閾値を超えた時刻を、前記処理区間の終端であると判定することで、前記入力区間の音声情報から前記処理区間の音声情報を抽出し、
前記音声処理は、前記音声情報の雑音抑圧処理であり、
前記処理モード決定ステップでは、前記処理モードとして、雑音抑圧アルゴリズム、又は雑音抑圧パラメータを決定する
音声認識方法。
【請求項２】
音声認識方法であって、
処理区間に含まれる第１無音区間の長さを決定するための基準値を決定する基準値決定ステップと、
互いに処理量が異なる複数の音声処理の処理モードから、前記基準値に応じて、使用する処理モードを決定する処理モード決定ステップと、
前記処理区間を含む入力区間の音声情報から、前記基準値を用いて、対象区間と、前記対象区間の後の前記第１無音区間とを含む前記処理区間の音声情報を取得する終話判定ステップと、
前記処理区間の音声情報のうち前記対象区間の音声情報に対して、決定された前記処理モードで音声処理を実行する音声処理ステップと、
前記音声処理が実行された前記対象区間の音声情報に対して音声認識処理を実行する音声認識ステップとを含み、
前記基準値決定ステップでは、前記基準値として、前記処理区間の終端を判定するための情報であり、前記第１無音区間の長さを示す閾値を決定し、
前記処理モード決定ステップでは、前記閾値に基づいて前記処理モードを決定し、
前記音声認識方法は、さらに、
前記入力区間の音声情報から無音区間を検出する検出ステップを含み、
前記終話判定ステップでは、無音区間の長さが前記閾値を超えた時刻を、前記処理区間の終端であると判定することで、前記入力区間の音声情報から前記処理区間の音声情報を抽出し、
前記音声処理は、前記音声情報の符号化処理であり、
前記処理モード決定ステップでは、前記処理モードとして、符号化アルゴリズム、又は符号化パラメータを決定し、
前記音声認識方法は、さらに、
前記音声処理として符号化が実行された音声情報を音声認識装置に伝送する伝送ステップと、
前記音声認識装置にて、伝送された前記音声情報を復号する復号ステップとを含み、
前記音声認識ステップでは、前記音声認識装置により、復号された前記音声情報に対して前記音声認識処理が実行される
音声認識方法。
【請求項３】
前記音声処理ステップでは、前記対象区間に含まれる無音区間を除去し、前記無音区間を除去した前記対象区間の音声情報に対して前記音声処理を実行する
請求項１又は２記載の音声認識方法。
【請求項４】
前記音声認識方法は、さらに、
決定された前記処理モードでの前記音声処理の処理時間を計測する処理時間計測ステップと、
計測された前記処理時間に基づき、前記音声処理の処理モードを変更する処理モード変更ステップとを含む
請求項１〜３のいずれか１項に記載の音声認識方法。
【請求項５】
前記音声処理ステップにおいて前記処理区間の時間長の間に前記対象区間の音声情報に前記音声処理が行われるように、前記処理モード決定ステップでは前記処理モードが決定される
請求項１〜４のいずれか１項に記載の音声認識方法。
【請求項６】
音声認識装置であって、
処理区間に含まれる第１無音区間の長さを決定するための基準値を決定する基準値決定部と、
互いに処理量が異なる複数の音声処理の処理モードから、前記基準値に応じて、使用する処理モードを決定する処理モード決定部と、
前記処理区間を含む入力区間の音声情報を取得する音声取得部と、
前記入力区間の音声情報から、前記基準値を用いて、対象区間と、前記対象区間の後の前記第１無音区間とを含む前記処理区間の音声情報を取得する終話判定部と、
前記処理区間の音声情報のうち前記対象区間の音声情報に対して、決定された前記処理モードで音声処理を実行する音声処理部と、
前記音声処理が実行された前記対象区間の音声情報に対して音声認識処理を実行する音声認識部とを備える
前記基準値決定部は、前記基準値として、前記処理区間の終端を判定するための情報であり、前記第１無音区間の長さを示す閾値を決定し、
前記処理モード決定部は、前記閾値に基づいて前記処理モードを決定し、
前記音声認識装置は、さらに、
前記入力区間の音声情報から無音区間を検出する検出部を備え、
前記終話判定部は、無音区間の長さが前記閾値を超えた時刻を、前記処理区間の終端であると判定することで、前記入力区間の音声情報から前記処理区間の音声情報を抽出し、
前記音声処理は、前記音声情報の雑音抑圧処理であり、
前記処理モード決定部は、前記処理モードとして、雑音抑圧アルゴリズム、又は雑音抑圧パラメータを決定する
音声認識装置。
【請求項７】
音声認識装置であって、
処理区間に含まれる第１無音区間の長さを決定するための基準値を決定する基準値決定部と、
互いに処理量が異なる複数の音声処理の処理モードから、前記基準値に応じて、使用する処理モードを決定する処理モード決定部と、
前記処理区間を含む入力区間の音声情報から、前記基準値を用いて、対象区間と、前記対象区間の後の前記第１無音区間とを含む前記処理区間の音声情報を取得する終話判定部と、
前記処理区間の音声情報のうち前記対象区間の音声情報に対して、決定された前記処理モードで音声処理を実行する音声処理部と、
前記音声処理が実行された前記対象区間の音声情報に対して音声認識処理を実行する音声認識部とを備え、
前記基準値決定部は、前記基準値として、前記処理区間の終端を判定するための情報であり、前記第１無音区間の長さを示す閾値を決定し、
前記処理モード決定部は、前記閾値に基づいて前記処理モードを決定し、
前記音声認識装置は、さらに、
前記入力区間の音声情報から無音区間を検出する検出部を備え、
前記終話判定部は、無音区間の長さが前記閾値を超えた時刻を、前記処理区間の終端であると判定することで、前記入力区間の音声情報から前記処理区間の音声情報を抽出し、
前記音声処理は、前記音声情報の符号化処理であり、
前記処理モード決定部は、前記処理モードとして、符号化アルゴリズム、又は符号化パラメータを決定し、
前記音声認識装置は、さらに、
前記音声処理として符号化が実行された音声情報を復号する復号部を含み、
前記音声認識部は、復号された前記音声情報に対して前記音声認識処理を実行する
音声認識装置。
【請求項８】
請求項１記載の音声認識方法をコンピュータに実行させるための
プログラム。
【請求項９】
請求項２記載の音声認識方法をコンピュータに実行させるための
プログラム。